(57)【要約】【課題】カメラを安定した状態で把持できるようにする。【解決手段】  カメラ１は、カメラ本体部２と、カメラ本体部２の前面側に設けられたフロントキャビネット３と、カメラ本体部２の上面２ａに設けられたビューファインダー４と、カメラ本体部２の第１の側面２ｂに設けられたグリップベルト５と、を備えている。カメラ本体部２の上面２ａには、カメラ本体部２の前面側から後面側に向かって帯状に伸び、カメラ本体部２をグリップしたときに指先が当たる把持部（指先当接部）１３が設けられている。把持部１３の上面１３ａは、カメラ本体部２の前面側から後面側に向かって上り勾配になる傾斜面に形成されている。【選択図】  図５
2006295273.tif 000002
【特許請求の範囲】
【請求項１】
カメラ本体部と、該カメラ本体部の前面側に設けられたフロントキャビネットと、前記カメラ本体部の上面側に設けられたビューファインダーと、前記カメラ本体部の第１の側面に設けられたグリップベルトと、を備え、
前記カメラ本体部は、上面に前記カメラ本体部の前面側から後面側に向かって光軸方向に帯状に伸びて前記カメラ本体部をグリップしたときに指先が当たる把持部を備え、該把持部の上面は、前記カメラ本体部の前面側から後面側に向かって上り勾配になる傾斜面に形成されていることを特徴とする撮像装置。
【請求項２】
前記把持部の上面は、前記カメラ本体部の第１の側面の端部から該第１の側面に対向する第２の側面の端部までの間が略円弧状の凹面に形成されていることを特徴とする請求項１に記載の撮像装置。
【請求項３】
前記把持部は、前記カメラ本体部の上面から突出して形成されていることを特徴とする請求項１に記載の撮像装置。
【請求項４】
前記把持部の上面には、滑り止め処理が施されていることを特徴とする請求項１に記載の撮像装置。
【請求項５】
前記把持部は、前記カメラ本体部と別個に形成されていて、前記カメラ本体部に取付けられていることを特徴とする請求項１に記載の撮像装置。
【請求項６】
前記把持部は、前記カメラ本体部よりも弾性に富む合成樹脂材で形成されていることを特徴とする請求項１に記載の撮像装置。
【請求項７】
前記ビューファインダーは、チルト機構により前記カメラ本体部の上面に対して傾斜角度を調整可能に取付けられていて、最小傾斜角度が前記把持部の長さ方向の傾斜角度と略等しい値に設定されていることを特徴とする請求項１に記載の撮像装置。
【請求項８】
カメラ本体部の上面側に設けられていて、該カメラ本体部を把持した指先が当たる撮像装置の把持部であって、把持部の上面は、前記カメラ本体部の前面側から後面側に向かって上り勾配になる傾斜面に形成されていることを特徴とする撮像装置の把持部。
【発明の詳細な説明】
【技術分野】
【０００１】
本発明は、ビデオカメラ等の撮像装置に関し、特に撮影時における装置の把持、即ちグリップを確実、容易に行うことができるようにしたものである。
【背景技術】
【０００２】
ビデオカメラとして、図１４に示すように、カメラ本体部１０１の一側面１０２にグリップベルト１０３を設け、該グリップベルト１０３と前記カメラ本体部１０１の一側面１０２との間に手先１１１、具体的には人差し指１１１ａ、中指１１１ｂ、薬指１１１ｃ、小指１１１ｄの４本を差し込み、前記人差し指１１１ａで前記カメラ本体部１０１の上面１０４に設けたズーム操作ボタン１０５を操作可能にすると共に、前記中指１１１ｂ、薬指１１１ｃ、小指１１１ｄの３本の指の先端で前記カメラ本体部１０１の上面１０４を押さえる一方、前記グリップベルト１０３の外部に出している親指１１１ｅの付け根部分で前記カメラ本体部１０１の後端の下端部を支持して、カメラ本体部１０１を把持して、撮影を行うことができるようにしたビデオカメラが知られている。（例えば特許文献１）
【特許文献１】特開平５−５６３１９号公報
【発明の開示】
【発明が解決しようとする課題】
【０００３】
ところで、上記従来のビデオカメラにおいて、前記カメラ本体部１０１の上面１０４は、フラットに形成されていて、該フラットなカメラ本体部１０１の上面１０４の一部を前記人差し指１１１ａ、中指１１１ｂ、薬指１１１ｃ、小指１１１ｄの指先で押さえる構成になっていたために、次に述べるような問題点があった。
（１）前記人差し指１１１ａ〜小指１１１ｄの３本の指の長さはそれぞれ異なり、これら人差し指１１１ａ〜小指１１１ｄを折り曲げると、図１５に示すように、これら人差し指１１１ａ〜小指１１１ｄの指先１１１ｆの位置には自ずと高低差が発生し、人差し指１１１ａの指先１１１ｆの位置が最も高くなり、中指１１１ｂ、薬指１１１ｃ、小指１１１ｄの順になる。このため、前記人差し指１１１ａ〜小指１１１ｄの指先１１１ｆで前記カメラ本体部１０１のフラットな上面１０４を均等な力で押さえるのに不利になる場合がある。
（２）図１６に示すように、前記人差し指１１１ａ〜小指１１１ｄの指先１１１ｆで前記カメラ本体部１０１の上面１０４を押したときに掛かる力Ｆ１の方向と、前記親指１１１ｅの付け根部分によって、前記カメラ本体部１０１の後端の下端部に掛かる力Ｆ２の方向が非対向方向であるために、前記カメラ本体部１０１に回転方向（倒れ方向）の力Ｆ３が発生して、前記カメラ本体部１０１の把持が不安定になり易い。
（３）また、図１７に示すように、前記人差し指１１１ａ〜小指１１１ｄの指先１１１ｆで前記カメラ本体部１０１の上面１０４を押さえた場合に前記指先１１１ｆが当たるカメラ本体部１０１の上面１０４がフラットな面になっているために、前記指先の前記カメラ本体部１０１の上面１０４に対する接触面積が少なくなり、前記指先１１１ｆが滑り易くなる。
【０００４】
本発明の目的は、前記カメラ本体部を把持するべく前記人差し指、中指、薬指、小指を折り曲げた場合に、これら人差し指、中指、薬指、小指の指先が接触する前記カメラ本体部の上面（把持部）を、前記人差し指、中指、薬指、小指の指先の高さ位置に合わせて傾斜状に形成することにより、前記従来のカメラ本体部の上面がフラットな場合に比べてより容易に、より均等な力で押さえることが可能なビデオカメラを提供することにある。
【０００５】
また、本発明の他の目的は、前記人差し指、中指、薬指、小指の指先で前記カメラ本体部の上面を押したときに掛かる力Ｆ１の方向と、前記親指の付け根部分によって前記カメラ本体部の後端の下端部に掛かる力Ｆ２によって、前記カメラ本体部を回転させる方向の力Ｆ３が発生するのを抑制することのできるビデオカメラを提供することにある。
【０００６】
さらに、本発明の他の目的は、前記人差し指、中指、薬指、小指の指先で前記カメラ本体部の上面を押さえた場合に、前記指先が滑ったりせずに、確実に前記カメラ本体部の上面を押すことのできるビデオカメラを提供することにある。
【課題を解決するための手段】
【０００７】
本発明は、カメラ本体部と、該カメラ本体部の前面側に設けられたフロントキャビネットと、前記カメラ本体部の上面側に設けられたビューファインダーと、前記カメラ本体部の第１の側面に設けられたグリップベルトと、を備えたビデオカメラ等の撮像装置において、前記カメラ本体部の上面に、前記カメラ本体部の前面側から後面側に向かって光軸方向に帯状に伸びて前記カメラ本体部をグリップしたときに指先が当たる把持部（指先当接部）を設け、該把持部の上面を、前記カメラ本体部の前面側から後面側に向かって上り勾配になる傾斜面に形成し、前記グリップベルトと前記カメラ本体部の第１の側面との間を通して中指、薬指、小指等の指先で前記把持部の上面を押さえる構成にした。
【０００８】
また、前記把持部の上面を、前記カメラ本体部の第１の側面の端部から該第１の側面と対向する第２の側面の端部までの間が略円弧状の凹面になるように形成し、指先と前記把持部の接触面積を増大させた。
【０００９】
前記把持部を、前記カメラ本体部の上面から突出させて形成し、前記カメラ本体部の上面に対して指先を浮き上がらせた状態で指先を前記把持部に接触可能にした。また、前記把持部を、前記カメラ本体部と別個に形成し、前記カメラ本体部に取付ける構成した。また、前記把持部を、前記カメラ本体部よりも弾性に富む合成樹脂材で形成し、前記指先で押したときに、その圧力で凹むようにした。また、前記把持部の上面には、滑り止め処理を施して、指先が滑らないようにした。
【００１０】
前記ビューファインダーを、チルト機構により前記カメラ本体部の上面に対して傾斜角度を調整可能に取付け、最小傾斜角度を前記把持部の長さ方向の傾斜角度と略等しい値に設定し、前記ビューファインダーを最小傾斜角度にしたときに該ビューファインダーと前記把持部が略同じ傾斜角度で連続するようにした。
【発明の効果】
【００１１】
前記把持部の上面を、前記カメラ本体部の前面側から後面側に向かって上り勾配になる傾斜面に形成し、カメラ本体部を把持するべく前記人差し指、中指、薬指、小指の指先を折り曲げた場合に発生する前記人差し指、中指、薬指、小指の指先の位置の高低差を吸収したので、前記人差し指、中指、薬指、小指の３本の指の指先で前記カメラ本体部の上面を均一に押すことが容易になる。
【００１２】
また、前記把持部の上面を、前記カメラ本体部の第１の側面の端部から該第１の側面に対向する第２の側面の端部までの間が略円弧状の凹面に形成したので、前記指先を前記把持部の上面にフィットさせて、指先の滑りを防止し、前記指先で前記把持部を確実に押すことが可能になる。特に、前記把持部の上面には、滑り止め処理、例えば租面を形成したので、指先の滑りを確実に防止することができる。
【００１３】
前記把持部を、前記カメラ本体部の上面から突出させて形成したので、前記把持部を前記カメラ本体部の上面に対して凹ませて形成した場合に比べて指先で前記把持部が押し易くなる。また、前記把持部を、前記カメラ本体部と別個に形成し、前記カメラ本体部に取付ける構成したので、前記カメラ本体部と前記把持部の材質を必要に応じて変えることができる。また、前記把持部を、前記カメラ本体部よりも弾性に富む合成樹脂材で形成し、前記指先で押したときに、その圧力で凹むようにしたので、押圧時における指先の滑りを防止することができる。
【００１４】
前記ビューファインダーをカメラ本体部側に倒し、前記ビューファインダーを最小傾斜角度にしたときに該ビューファインダーと前記把持部が略同じ傾斜角度で連続するので、前記把持部が存在することによる違和感を無くして、外観的にも優れたものになる。
【発明を実施するための最良の形態】
【００１５】
以下、本発明の撮像装置を、（１）撮像装置の概略構成、（２）把持部の構成、（３）マイクロホン機構の構成、（４）作用、（５）他の実施例、の順に説明する。
（１）撮像装置の概略構成、
図１〜図３は撮像装置の一例としてのビデオカメラ１を示し、図１はビデオカメラ１をグリップベルト側から見た斜視図、図２はビデオカメラ１をモニター側から見た斜視図、図３はビューファインダー及びモニターの使用状態にした斜視図である。ビデオカメラ１は、カメラ本体部２と、該カメラ本体部２の前面側に設けられたフロントキャビネット３と、前記カメラ本体部２の上面２ａ側に設けられたビューファインダー４と、前記カメラ本体部２の第１の側面２ｂに設けられたグリップベルト５と、前記カメラ本体部２の前記第１の側面２ｂと対向する第２の側面２ｃに設けられたモニター６と、前記カメラ本体部２の後端面２ｄに着脱自在に取り付けられるバッテリーボクッス７と、を備えている。前記フロントキャビネット３の上部には格納式のフラッシュ８が設けられ、該フラッシュ８の両側部には一対のマイクロホン機構９、９が設けられている。前記フロントキャビネット３の先端部にはレンズフード１０が取外可能に取付けられている。また、前記カメラ本体部２の前記第１の側面２ｂにはメモリーカード１１を挿入するメモリーカード挿入口１２が設けられている。
【００１６】
前記カメラ本体部２の上面２ａには前記カメラ本体部２を把持したときに、指先が当たる把持部１３が設けられている。
【００１７】
そして、図４に示すように、親指１１１ｅをグリップベルト５の外に出した状態で人差し指１１１ａ、中指１１１ｂ、薬指１１１ｃ、小指１１１ｄを前記カメラ本体部２の第１の側面２ｂとグリップベルト５との間に差し込んで、前記中指１１１ｂ、薬指１１１ｃ、小指１１１ｄの指先で、前記カメラ本体部２の上面２ａに設けた把持部１３を押さえて前記カメラ本体部２を把持すると共に、前記グリップベルト５の外に出している親指１１１ｅで前記カメラ本体部２の後面２ｄ側に設けた電源釦１４や動画撮影用のスタートストップ釦１５等を操作し、人差し指１１１ａで前記カメラ本体部２の上面２ａに設けた静止画撮影用のスタートストップ釦１６やズーム釦１７等を操作可能になっている。
（２）把持部（指先当接部）の構成、
図１に示すように、前記把持部１３は、前記カメラ本体部２の上面２ａに前面側（フロントキャビネット３側）から後面２ｄ側に向かって光軸方向に帯状に伸びるように形成されている。そして、前述したように、前記カメラ本体部２をグリップしたときに前記中指１１１ｂ、薬指１１１ｃ、小指１１１ｄの指先が当たるようになっている。
【００１８】
図５に示すように、前記把持部１３の上面は、前記カメラ本体部２の前面側から後面側に向かって上り勾配になる傾斜面１３ａになっている。前記傾斜面１３ａは、傾斜角度の小さい第１の傾斜面部１３ｂと、該第１の傾斜面部１３ｂよりも傾斜角度の大きな第２の傾斜面部１３ｃを備えていて、前記第１の傾斜面部１３ｂに小指１１１ｄの指先が当たり、第２の傾斜面部１３ｃに人差し指１１１ａ、中指１１１ｂ、薬指１１１ｃの指先が当たるようになっている。
【００１９】
前記把持部１３の傾斜角度は、図１５に示したように、前記カメラ本体部２を把持するべく前記人差し指１１１ａ、中指１１１ｂ、薬指１１１ｃ、小指１１１ｄを折り曲げた場合のこれら人差し指１１１ａ、中指１１１ｂ、薬指１１１ｃ、小指１１１ｄの指先の高低差により発生する傾斜角度に見合うように形成されている。
【００２０】
また、図６に示すように、前記把持部１３の上面１３ａは、前記カメラ本体部２の第１の側面２ｂの端部から該第１の側面２ｂに対向する第２の側面２ｃの端部までの間が略円弧状の凹面に形成されていて、前記人差し指１１１ａ、中指１１１ｂ、薬指１１１ｃ、小指１１１ｄの指先を前記把持部１３の上面１３ａに当てたときに、前記人差し指１１１ａ、中指１１１ｂ、薬指１１１ｃ、小指１１１ｄの指先を前記把持部１３の上面１３ａにフィットさせて、前記指先で前記把持部１３を確実に押すことが可能になる。また、前記把持部１３の上面１３ａは、粗面にする等の方法により滑り止め処理が施されていて、前記把持部１３の上面１３ａを押した際に指先が滑るのを防止している。前記把持部１３は、前記カメラ本体部２と別個（別体）に形成されていてカメラ本体部２に取付ける構成になっている。
【００２１】
前記カメラ本体部２の上面２ａの前記把持部１３を設けた部分の近傍、即ち前記ビューファインダー４の付け根部分は、前記把持部１３の傾斜角度と略同じ傾斜角度の傾斜面２ｆに形成されている。前記傾斜面２ｆの上端側に前記ビューファインダー４が配置されている。前記ビューファインダー４は、チルト機構（図示省略）により前記カメラ本体部２の上面２ａに対して傾斜角度を調整可能に取付けられている。
【００２２】
前記ビューファインダー４は、前記カメラ本体部２の上面２ａ側に倒したときの最小傾斜角度が前記カメラ本体部２の上面２ａおよび前記把持部１３の長さ方向（光軸方向）の傾斜角度と略等しい値に設定されている。そして、前記ビューファインダー４をカメラ本体部２の上面２ａ側に倒し、前記ビューファインダー４を最小傾斜角度にしたときに，図１、図２に示すように、前記ビューファインダー４と前記カメラ本体部２の上面２ａおよび前記把持部１３が略同じ傾斜角度で連続して、前記把持部１３が存在することによる違和感を無くして、外観的にも優れたものにしている。前記ビューファインダー４は、前記カメラ本体部２の上面２ａ側に倒した最小傾斜角度の状態から、図３に示す前記カメラ本体部２の上面２ａに対して略直角に起立させた最大傾斜角度の範囲内で所望の傾斜角度にして使用可能になっている。
（３）マイクロホン機構の構成、
図３に示すように、前記マイクロホン機構９は、前記フロントキャビネット３の上部に設けたポップアップ式のフラッシュ機構８の両側部に配置されている。
【００２３】
図７に示すように、前記マイクロホン機構９は、第１,第２のマイク本体部２１,２２を備えている。前記第１,第２のマイク本体部２１,２２は、前記フロントキャビネット３の前後方向ａ，ｂに所定の間隔をもって配置されている。
【００２４】
図８に示すように、前記マイクロホン機構９は、前記第１,第２のマイク本体部２１,２２と、これら第１,第２のマイク本体部２１,２２を収納するエラストマーやゴム等の弾性材で形成された第１,第２のダンパー２３,２４と、これら第１,第２のダンパー２３,２４を第１,第２のダンパー取付孔２５，２６に取付けるダンパー支持プレート２７と、を備えている。
【００２５】
前記ダンパー支持プレート２７は、前記第１のダンパー取付孔２５に取り付けた第１のダンパー２３を前記フロントキャビネット３のマイク取付部２８に設けた第１のマイク受孔２９に臨ませ、前記第２のダンパー取付孔２６に取り付けた第２のダンパー２４を前記マイク取付部２８に設けた第２のマイク受孔３０に臨ませた状態で前記フロントキャビネット３の内面に取付けられる。
【００２６】
図９に示すように、前記ダンパー支持プレート２７は、前記フロントキャビネット３の内面に取付ける際に該フロントキャビネット３の内面に設けた位置決め部３１に係合して該ダンパー支持プレート２７の前記フロントキャビネット３の内面に対する位置決めを行う第１の被位置決め部３２を一側部に備え、他側部に前記フロントキャビネット３の内面に設けた円柱状のボス部３３の周面に係合する円弧面状の第２の被位置決め部３４（図８参照）を備えている。
【００２７】
図１０、図１１に示すように、前記第１のダンパー２３は、前記第１のマイク本体部２１を収納する内筒部４１と、該内筒部４１の一端を折り返した状態に形成された外筒部４２と、該外筒部４２の一端部に設けられたフランジ部４３と、を備えている。前記フランジ部４３は、外周面に環状の凹溝４４を備えている。
【００２８】
前記第１のダンパー２３は、環状の凹溝４４内に前記ダンパー支持プレート２７の第１のダンパー取付孔２５の周縁部を嵌合することにより前記ダンパー支持プレート２７に取付けられている。前記第２のダンパー２４も前記第１のダンパー２３と同様に形成されていて、前記ダンパー支持プレート２７の第２のダンパー取付孔２６に取り付けられている。
【００２９】
前記第１,第２のダンパー２３,２４の内筒部４１は、前記フロントキャビネット３の前後方向ａ，ｂに長い長円形状に形成されていて、これらダンパー２３,２４の内筒部４１は、直列方向に配置されている。
【００３０】
前記第１のダンパー２３の内筒部４１の上面４５には前記マイク本体部２１の外径よりも小径の孔部４６が設けられていると共に、前記内筒部４１内には、前記第１のマイク本体部２１を挿入保持する円筒状のマイク本体収納部４７が設けられている。前記マイク本体収納部４７の下面４８には切欠部４９が形成されていて、該切欠部４９を押し広げることにより前記マイク本体収納部４７内に前記マイク本体部２１が収納される。そして、前記第１のマイク本体部２１の上面が前記孔部４６を介して外部に臨むと共に、前記第１のマイク本体部２１に接続されたリード線５０は、前記切欠部４９を介して前記内筒部４１の外部に引き出される。
【００３１】
前記第２のダンパー２４の内筒部４１も前記第１のダンパー２３の内筒部４１と同様に形成されていて、前記第２のマイク本体部２２の上面が前記孔部４６を介して外部に臨むようになっていると共に、前記第２のマイク本体部２２に接続されたリード線５１は、前記切欠部４９を介して前記内筒部４１の外部に引き出されている。なお、前記第１,第２のダンパー２３,２４の内筒部４１の下部には蓋板取付部５２が設けられていて、該蓋板取付部５２に取り付けた蓋板５３によって、前記切欠部４９が閉塞される。
【００３２】
図１０に示すように、第１のダンパー２３は、前記ダンパー支持プレート２７の第１のダンパー取付孔２５に取り付けられ、第２のダンパー２４は、前記ダンパー支持プレート２７の第２のダンパー取付孔２６に取り付けられる。
【００３３】
前記ダンパー支持プレート２７は、前記第１のダンパー取付孔２５に取り付けた第１のダンパー２３を前記フロントキャビネット３のマイク取付部２８に設けた第１のマイク受孔２９に臨ませ、前記第２のダンパー取付孔２６に取り付けた第２のダンパー２４を前記マイク取付部２８に設けた第２のマイク受孔３０に臨ませる。そして、図９に示すように、前記ダンパー支持プレート２７に設けた第１の被位置決め部３２を前記フロントキャビネット３に設けた位置決め部３１に係合すると共に、前記ダンパー支持プレート２７の一側部に設けた円弧面状の第１の被位置決め部３４（図８参照）を前記フロントキャビネット３の内面に円柱状のボス部３３の周面に係合させることにより前記フロントキャビネット３のマイク取付部２８の内面に位置決めした状態で取付けられる。そして、前記ダンパー支持プレート２７は、その背面側をカバープレート５４で覆われる。
【００３４】
図９に示すように、前記カバープレート５４は、一側部に舌片状の第１の固定部３５を備え、他側部にボス状の第２の固定部３６を備えている。前記カバープレート５４は、第１の固定部３４を前記フロントキャビネット３に設けた位置決め部３１に係合することにより前記ダンパー支持プレート２７に設けた第１の被位置決め部３２を前記フロントキャビネット３に内面に押し付けた状態で固定される。また、前記ボス状の第２の固定部３６は、前記フロントキャビネット３の内面に設けた円柱状のボス部３３の先端部に重ね合わせた状態でビス３７により固定される。そして、図１２に示すように、前記第１,第２のダンパー２３,２４のフランジ部４３を前記カバープレート５４の周縁部５４ａで前記ダンパー支持プレート２７に押し付けてダンパー支持プレート２７に設けた前記第１，第２のダンパー取付孔２５,２６を封止し、前記第１,第２のダンパー２３,２４から外部に漏れて、前記本体部内のモータ音等が第１,第２のマイク本体部２１,２２に拾われるのを防止している。前記フロントキャビネット３のマイク取付部２８の外面にはグリルユニット６１が組み付けられている。
【００３５】
図８、図９に示すように、前記グリルユニット６１は、無数の小孔を設けた金属または合成樹脂製のマイクグリル６２と、該マイクグリル６２の下面に重ね合わされる不織布製のフィルターシート６３と、前記マイクグリル６２とフィルターシート６３を支持する合成樹脂製のベースプレート６４と、を備えている。
【００３６】
前記マイクグリル６２は、複数の係合突起６５を備えていて、前記フィルターシート６３を前記ベースプレート６４の間で挟んだ状態で前記複数の係合突起６５を前記ベースプレート６４に設けた突起係合部６６に係合させることにより、前記ベースプレート６４の表面に組み付けられる。
【００３７】
前記ベースプレート６４は、係合突起６７を備えていて、該係合突起６７を前記フロントキャビネット３に設けた突起係合部６８に係合させることにより、前記フロントキャビネット３のマイク取付部２８に組み付けられる。
（４）作用、
実施例の撮像装置は、上述のような構成であって、図１３に示すように、グリップベルト５と前記カメラ本体部２の一側面２ｂとグリップベルト５との間に人差し指１１１ａ、中指１１１ｂ、薬指１１１ｃ、小指１１１ｄの４本の指を差し込んで、これらの指先で前記傾斜状の把持部１３を押さえる。一方、前記グリップベルト５の外部に出している親指１１１ｅの付け根部分で前記カメラ本体部２の後端の下端部を支持する。前記人差し指１１１ａ、中指１１１ｂ、薬指１１１ｃ、小指１１１ｄ等の指先で前記把持部１３を押さえたときに掛かる力Ｆ１の方向と、前記親指の付け根部分によって前記カメラ本体部２の後端の下端部に掛かる力Ｆ２の方向が略対向方向になるので、従来の前記カメラ本体部のフラットな上面を押さえていた場合のように、カメラ本体部に回転方向（倒れ方向）の力Ｆ３が発生せず、従って、カメラ本体部２を安定した状態で把持することが可能になる。特に、ビューファインダー４のアイカップ４ａに目を当てた状態で撮影すると、目によって押される力Ｆ４によってより安定した状態でカメラ本体部２を把持することが可能になる。
【００３８】
人差し指１１１ａをフリーな状態にしておくことにより、人差し指１１１ａで前記カメラ本体部２の上面２ａに設けた静止画撮影用のスタートストップ釦１６やズーム釦１７の操作が可能になる。また、前記グリップベルト５の外部に出している親指１１１ｅで前記カメラ本体部２の後面２ｄ側に設けた電源釦１４や動画撮影用のスタートストップ釦１５等の操作が可能になる。
（５）他の実施例、
上記実施例においては、前記把持部１３をカメラ本体部２と別個に形成し、カメラ本体部２に取付ける構成にしたが、把持部１３をカメラ本体部２と一体に形成してもよい。
【００３９】
把持部１３をカメラ本体部２と別個に形成し、該カメラ本体部２に取付ける構成にすれば、カメラ本体部２と把持部１３の材質を必要に応じて変えることができる。特に、把持部１３を、前記カメラ本体部２よりも弾性に富む合成樹脂材で形成し、前記指先で押したときに、その圧力で凹むようにすることにより、把持部１３の上面１３ａを円弧状に湾曲させなくても、また、把持部１３の上面１３ａ滑り止め用の祖面等を形成しなくても、指先の滑りを防止することができる。なお、上記実施例では、撮像装置としてデジタルビデオカメラを例にとって説明したが撮像装置はスチルカメラ、その他のカメラであってもよい。
【図面の簡単な説明】
【００４０】
【図１】第１の実施の形態のビデオカメラをグリップベルト側から見た斜視図。
【図２】ビデオカメラをモニター側から見た斜視図。
【図３】ビューファインダー及びモニターの使用状態にした斜視図。
【図４】ビデオカメラを把持している状態の斜視図。
【図５】ビデオカメラの要部の斜視図。
【図６】図５のＡ−Ａ断面図。
【図７】フロントキャビネットに第１、第２のマイク本体部を取付けた状態の斜視図。
【図８】マイクロホン機構の分解斜視図。
【図９】マイクロホン機構の分解斜視図。
【図１０】ダンパーの断面図。
【図１１】ダンパーの断面図。
【図１２】フロントキャビネットに取付けられたマイクロホン機構の断面図。
【図１３】ビデオカメラを使用して撮影している状態の側面図。
【図１４】従来例の斜視図。
【図１５】指先を自然に折り曲げた状態の斜視図。
【図１６】従来のビデオカメラを使用して撮影している状態の側面図。
【図１７】指先がビデオカメラの上面に接触している状態を示す側面図。
【符号の説明】
【００４１】
１…ビデオカメラ、２…カメラ本体部、２ａ…上面、２ｂ…第１の側面、３…フロントキャビネット、４…ビューファインダー、５…グリップベルト、１３…把持部（指先当接部）、１３ａ…把持部の上面、１３ｂ…第１の傾斜面部、１３ｃ……第２の傾斜面部、１４…電源釦、１５…動画撮像用のスタートストップ釦、１６…静止画撮像用のスタートストップ釦、１７…ズーム釦。
【図１】
2006295273.tif 000003
【図２】
2006295273.tif 000004
【図３】
2006295273.tif 000005
【図４】
2006295273.tif 000006
【図５】
2006295273.tif 000007
【図６】
2006295273.tif 000008
【図７】
2006295273.tif 000009
【図８】
2006295273.tif 000010
【図９】
2006295273.tif 000011
【図１０】
2006295273.tif 000012
【図１１】
2006295273.tif 000013
【図１２】
2006295273.tif 000014
【図１３】
2006295273.tif 000015
【図１４】
2006295273.tif 000016
【図１５】
2006295273.tif 000017
【図１６】
2006295273.tif 000018
【図１７】
2006295273.tif 000019